(57)【要約】      （修正有）【課題】床板を軌道方向から取り付け及び取り外しができるようにして差込式ヒータを配置できるまくらぎ用床板構造を提供する。【解決手段】上面に床板締結具５０を取り付ける一対の受台１０１が突設されたＰＣまくらぎ１００の床板１０にプレート状の発熱部３１を有する差込式ヒータ３０を配置する床板構造１であって、一対の受台の間に軌道方向から配置可能な長辺寸法に形成され、差込式ヒータの配置部１５が長辺方向に延びて形成された床板本体１１と、床板本体の長辺方向の一端部に配置され、床板本体の長辺寸法とによって一対の受台の間隔に適した長辺方向全寸法となる調整寸法に形成された調整金具２１と、を備え、床板本体は、長辺方向一端部の軌道方向中央部に受台の一方と係合する凹部を有するとともに、長辺方向他端部に調整金具と接する係合部１３を有し、調整金具は、係合部と接する端部と反対方向の端部に、受台の他方と係合する凹部を有している。【選択図】図１
2018053442.tif 000002
【特許請求の範囲】
【請求項１】
上面の所定位置に床板締結具を取り付ける一対の受台が突設されたまくらぎの床板にプレート状の発熱部を有する差込式ヒータを配置する床板構造であって、
一対の前記受台の間に軌道方向から配置可能な長辺寸法に形成され、前記差込式ヒータの配置部が長辺方向に延びて形成された床板本体と、
前記床板本体の長辺方向の一端部に配置され、前記床板本体の長辺寸法とによって一対の前記受台の間隔に適した長辺方向全寸法となる調整寸法に形成された調整金具と、を備え、
前記床板本体は、長辺方向一端部の軌道方向中央部に前記受台の一方と係合する凹部を有するとともに、長辺方向他端部に前記調整金具と接する係合部を有し、
前記調整金具は、前記係合部と接する端部と反対方向の端部に、前記受台の他方と係合する凹部を有している、
ことを特徴とするまくらぎ用床板構造。
【請求項２】
前記調整金具は、前記係合部と接する端部に、前記係合部の上面に接する押え部と、前記係合部の端部に接して前記受台とによる前記長辺方向全寸法を調整する調整部と、を有している、
請求項１に記載のまくらぎ用床板構造。
【請求項３】
前記床板本体は、本線レールの固定位置から水平方向に延びるスライド部を有し、前記スライド部の長辺方向に延びて前記差込式ヒータの配置部が形成されている、
請求項１又は２に記載のまくらぎ用床板構造。
【請求項４】
前記床板本体及び前記調整金具の下面と前記まくらぎの上面との間に絶縁パッドを有している、
請求項１〜３のいずれか１項に記載のまくらぎ用床板構造。
【請求項５】
前記床板本体の凹部及び前記調整金具の凹部は、前記床板締結具と接する部分に絶縁体を有し、
前記絶縁体を介して前記床板本体及び前記調整金具を前記床板締結具でまくらぎに固定するように構成されている、
請求項１〜４のいずれか１項に記載のまくらぎ用床板構造。
【請求項６】
前記まくらぎがＰＣまくらぎである、
請求項１〜５のいずれか１項に記載のまくらぎ用床板構造。
【発明の詳細な説明】
【技術分野】
【０００１】
本発明は、ＰＣまくらぎ（プレストレストコンクリートまくらぎ）などの床板に差込式ヒータを取り付けるまくらぎ用床板構造に関する。
【背景技術】
【０００２】
従来、寒冷地における線路には、レールの分岐部などに凍結防止や雪を溶かす融雪器が取り付けられている。融雪器には、温水式や電気式のものがある。電気式の融雪器としては、温風式や直接加熱式のものがあり、直接加熱式のものには、線状に形成された長尺線材の発熱部や、プレート状の発熱部を有するヒータがある。直接加熱式のヒータでも、特に、プレート状の発熱部を有する差込式ヒータは、発熱部によって床板の広い面積を直接的に加熱することができるため、分岐部における広い面積を加熱する場合に適している。
【０００３】
この種の先行技術として、長辺と短辺とをまくらぎとレールとの空間に挿入して床板の四方を囲み、長辺に一体形成された格納筒に電気ヒータを格納するものがある（例えば、特許文献１参照）。
【０００４】
また、他の先行技術として、まくらぎの上面に取り付けられる基材の内部にヒータコードなどの発熱部を埋設したものもある（例えば、特許文献２参照）。
【先行技術文献】
【特許文献】
【０００５】
【特許文献１】特開２００７−１５４４９８号公報
【特許文献２】特開２００２−３０９５３５号公報
【発明の概要】
【発明が解決しようとする課題】
【０００６】
しかし、上記特許文献１の場合、床板を囲む長辺のみから加熱する構造であるため、分岐部における床板の広い面積を加熱することは難しい。また、床板の縁部から加熱するためには多くの電気を要し、効率が悪い。また、上記特許文献２の場合は、床板の広い面積を加熱することができる。しかし、レールを敷設する前にヒータをまくらぎに取り付ける必要がある。しかも、保守点検を行う場合にはレールなどを全て取り除かなければできない。
【０００７】
一方、上記プレート状の発熱体を有する差込式ヒータを床板に配置する場合がある。しかし、例えば、ＰＣまくらぎのように、製造段階で内部の長手方向に設けられる鋼線の関係で上面の軌道方向中央部に床板締結具の受台が突設されている場合には、まくらぎの上方にレールがあると受台が邪魔になってプレート状の発熱部を取り付けることができない。このため、レールを敷設する前にヒータを適切内地に配置しなければならず、分岐部などにおいては配置に時間を要する。また、保守点検などでヒータを交換する必要が生じた場合などは、レールをまくらぎの上方から取り除かなければ差込式ヒータを交換することができず、多くの時間と労力を要する。特に、分岐部では、全てのレールを取り除いて差込式ヒータを保守点検するには時間と労力を要する。
【０００８】
そこで、本発明は、まくらぎの上面に床板締結具の受台が突設されていても、床板を軌道方向から取り付け及び取り外しができるようにして差込式ヒータを配置できるまくらぎ用床板構造を提供することを目的とする。
【課題を解決するための手段】
【０００９】
上記目的を達成するために、本発明に係るまくらぎ用床板構造は、上面の所定位置に床板締結具を取り付ける一対の受台が突設されたまくらぎの床板にプレート状の発熱部を有する差込式ヒータを配置する床板構造であって、一対の前記受台の間に軌道方向から配置可能な長辺寸法に形成され、前記差込式ヒータの配置部が長辺方向に延びて形成された床板本体と、前記床板本体の長辺方向の一端部に配置され、前記床板本体の長辺寸法とによって一対の前記受台の間隔に適した長辺方向全寸法となる調整寸法に形成された調整金具と、を備え、前記床板本体は、長辺方向一端部の軌道方向中央部に前記受台の一方と係合する凹部を有するとともに、長辺方向他端部に前記調整金具と接する係合部を有し、前記調整金具は、前記係合部と接する端部と反対方向の端部に、前記受台の他方と係合する凹部を有している。この明細書及び特許請求の範囲の書類中においては、まくらぎの長手方向と交差する本線レールの延びる方向を軌道方向という。また、この明細書及び特許請求の範囲の書類中における「床板」は、「床板本体」と「調整金具」とを含む。
【００１０】
この構成により、まくらぎの上面に床板締結具の受台が突設され、床板の上方にレールがある場合でも、調整金具を取り外せば床板本体を一対の受台の間から軌道方向に取り外すことができる。取り外した床板本体の配置部に差込式ヒータを配置し、その床板本体を軌道方向からまくらぎの上面に配置し、床板本体の長辺方向一端部に調整金具を配置してまくらぎに固定することで、床板にプレート状の発熱部を有する差込式ヒータを取り付け及び取り外しすることが軌道方向からできる。
【００１１】
また、前記調整金具は、前記係合部と接する端部に、前記係合部の上面に接する押え部と、前記係合部の端部に接して前記受台とによる前記長辺方向全寸法を調整する調整部と、を有していてもよい。このように構成すれば、床板本体の係合部を上方から押え部で押え、床板本体の長辺寸法と調整部の寸法とによる長辺方向全寸法を、一対の受台の間の適切な寸法にすることが、簡単な構造によってできる。
【００１２】
また、前記床板本体は、本線レールの固定位置から水平方向に延びるスライド部を有し、前記スライド部の長辺方向に延びて前記差込式ヒータの配置部が形成されていてもよい。このように構成すれば、配置部に配置した差込式ヒータによってスライド部の広い範囲を適切に加熱することができる。
【００１３】
また、前記床板本体及び前記調整金具の下面と前記まくらぎの上面との間に絶縁パッドを有していてもよい。このように構成すれば、まくらぎと差込式ヒータを配置する床板本体及び調整金具との間を絶縁パッドで適切に絶縁することができる。
【００１４】
また、前記床板本体の凹部及び前記調整金具の凹部は、前記床板締結具と接する部分に絶縁体を有し、前記絶縁体を介して前記床板本体及び前記調整金具を前記床板締結具でまくらぎに固定するように構成されていてもよい。このように構成すれば、床板本体及び調整金具を、絶縁体を介して床板締結具でまくらぎに固定するため、まくらぎと床板本体及び調整金具との間の絶縁を安定して保つことができる。
【００１５】
また、前記まくらぎがＰＣまくらぎであってもよい。このように構成すれば、上面に受台が突設されているＰＣまくらぎにおいて、プレート状の発熱部を有する差込式ヒータを配置する床板本体を軌道方向に取り付け及び取り外しすることが容易にできる。
【発明の効果】
【００１６】
本発明によれば、まくらぎの上面に床板締結具の受台が突設されている場合でも、プレート状の発熱部を有する差込式ヒータを配置する床板本体を、一対の受台の間から軌道方向に取り付け及び取り外しして適切に配置することが容易に可能となる。
【図面の簡単な説明】
【００１７】
【図１】図１は、本発明の一実施形態に係るまくらぎ用床板構造を備えた床板に本線レールを固定したＰＣまくらぎを示す斜視図である。
【図２】図２は、図１に示すＰＣまくらぎと床板の平面図である。
【図３】図３は、図２に示す床板のIII−III断面図である。
【図４】図４は、図１に示す状態から本線レールの固定部材及び床板締結具を取り外した斜視図である。
【図５】図５は、図４に示す状態から調整金具などを取り外した斜視図である。
【図６】図６は、図５に示す状態から床板本体を取り外す動作を示す図面であり、（Ａ）は床板本体をまくらぎ長手方向に水平移動させる動作の平面図、（Ｂ）は床板本体をまくらぎの上方から軌道方向に水平移動させる動作の平面図である。
【図７】図７（Ａ）は図６（Ｂ）に示す状態から差込式ヒータを交換する動作の平面図であり、図７（Ｂ）は差込式ヒータ交換時に絶縁パッドを交換する動作の平面図である。
【図８】図８は、図１に示すまくらぎ用床板構造を備えた床板を配置した分岐部の一例を示す平面図である。
【発明を実施するための形態】
【００１８】
以下、本発明の実施形態を図面に基づいて説明する。以下の実施形態では、分岐部（トングレールが配置される部分）におけるＰＣまくらぎ１００に適用したまくらぎ用床板構造１を例に説明する。また、ＰＣまくらぎ１００に固定される２本のレールの片側を示して説明する。さらに、床板１０をＰＣまくらぎ１００に固定する床板締結具５０及び本線レール１１０を床板本体１１に固定するレール締結具５１として、いずれも線ばね式締結具を例に説明する。以下の実施形態でも、ＰＣまくらぎ１００の長手方向と交差する本線レール１１０の延びる方向を軌道方向Ｒという。
【００１９】
（床板構造の構成）
図１は、一実施形態に係るまくらぎ用床板構造を備えた床板に本線レールを固定したＰＣまくらぎを示す斜視図である。図２は、図１に示すＰＣまくらぎと床板の平面図であり、図３は、図２に示す床板のIII−III断面図である。
【００２０】
図１，２に示すように、ＰＣまくらぎ１００の上面の所定位置には、床板１０をＰＣまくらぎ１００に固定するための床板締結具５０を取り付ける一対の受台１０１が突設されている。ＰＣまくらぎ１００は、製造段階で内部の長手方向に鋼線１０２が設けられている。そのため、受台１０１は、鋼線１０２の位置との関係でＰＣまくらぎ１００の上面における軌道方向Ｒの中央部に突設されている。
【００２１】
そして、一対の受台１０１の間に配置される床板１０が、一対の受台１０１に当接することなく軌道方向Ｒから水平方向に移動させて配置可能な長辺寸法に形成された床板本体１１と、この床板本体１１の長辺方向一端部に配置される調整金具２１と、で構成されている。調整金具２１は、床板本体１１の長辺寸法とによって、一対の受台１０１の間隔に適した長辺方向全寸法の床板１０を形成するものである。
【００２２】
上記床板本体１１は、長辺方向一端部の軌道方向中央部には、一方の上記受台１０１の内側に位置する凹部１２が設けられている。また、長辺方向他端部には、上記調整金具２１と係合する係合部１３が軌道方向Ｒの両端部に設けられている。
【００２３】
上記調整金具２１は、床板本体１１の係合部１３と接する端部に、係合部１３と接する押え部２３と、係合部１３の端面に接して、床板本体１１の長辺寸法とによって一対の受台１０１の間隔に適した長辺方向全寸法の床板１０とするための調整寸法の調整部２４と、を有している。調整金具２１の係合部１３と接する端部と反対方向には、他方の上記受台１０１の内側に位置する凹部２２が設けられている。
【００２４】
床板１０を床板本体１１と調整金具２１とで構成し、床板本体１１を長辺寸法Ａとし、調整金具２１を調整寸法Ｂとすることで、これら床板本体１１と調整金具２１とをＰＣまくらぎ１００の長手方向における一対の受台１０１の間に並べて配置することで、一対の受台１０１の間隔に適した長辺方向全寸法Ｃの床板１０となるようにしている。
【００２５】
また、ＰＣまくらぎ１００の上面と床板本体１１及び調整金具２１からなる床板１０の下面との間には、ＰＣまくらぎ１００と差込式ヒータ３０を配置する床板１０との間を適切に絶縁する絶縁パッド４０が設けられている。絶縁パッド４０としては、樹脂パッド、ゴムパッドなどを用いることができる。
【００２６】
さらに、この実施形態の床板本体１１は、本線レール１１０の固定位置から水平方向に延びるトングレール１１５（図８）のスライド部１４を有している。スライド部１４は、自己潤滑性を有する耐摩耗性材（軸受材）とすることができる。床板本体１１は、このスライド部１４の部分の長辺方向に延びるように、プレート状の発熱部３１を有する差込式ヒータ３０を配設する配置部１５を有している。この実施形態の配置部１５は、図３に示すように、上記スライド部１４に発熱部３１が接するように差込式ヒータ３０を内部に配置する穴部となっている。この実施形態では、発熱部３１が板バネ３４でスライド部１４に向けて付勢されるようになっている。配置部１５は、上記スライド部１４と床板本体１１との間に形成されている。スライド部１４に発熱部３１が接するように配置部１５を形成することで、トングレール１１５がスライドする範囲を差込式ヒータ３０で適切に加熱できるようにしている。
【００２７】
さらに、床板本体１１及び調整金具２１の凹部１２，２２には、上記床板締結具５０と接する部分に絶縁体１６，２５が設けられている。絶縁体１６，２５としては、ゴム部材を用いることができる。
【００２８】
また、この実施形態の上記受台１０１は、上記床板本体１１及び調整金具２１をＰＣまくらぎ１００に固定するための床板締結具５０が取り付け可能となっている。これにより、床板本体１１の係合部１３に調整金具２１の押え部２３及び調整部２４を係合させた状態で床板締結具５０を受台１０１に取り付けることで、床板１０をＰＣまくらぎ１００に固定することが容易にできる。しかも、床板締結具５０は絶縁体１６，２５を介して床板本体１１及び調整金具２１をＰＣまくらぎ１００に固定するため、ＰＣまくらぎ１００と床板本体１１及び調整金具２１との間の絶縁を安定して図ることができる。
【００２９】
そして、上記床板本体１１の配置部１５に、差込式ヒータ３０が配置されている。差込式ヒータ３０は、プレート状の発熱部３１と、発熱部３１にヒータ線を配線する配線部３２と、配線部３２に電気を供給する配線３３とを有している。発熱部３１がプレート状で床板本体１１の穴部に配置される構造とすることで、発熱部３１の発生熱をほぼ１００％でスライド部１４に伝えて、低消費電力で効率良く床板本体１１のスライド部１４を加熱することができる。
【００３０】
このように、まくらぎ用床板構造１を備えたＰＣまくらぎ１００は、受台１０１に床板締結具５０を取り付けて、差込式ヒータ３０を内部に配置した床板本体１１と調整金具２１とをＰＣまくらぎ１００に固定している。そして、床板本体１１の所定位置に本線レール１１０を配置し、床板本体１１に設けられた固定台１７に固定金具１８を取り付け、固定台１７にレール締結具５１を取り付けて、固定金具１８で本線レール１１０を床板本体１１に固定している。この実施形態では、床板締結具５０及びレール締結具５１を、いずれも線ばね式締結具としているが、板バネとボルトを用いた締結具等、他の締結具を用いることもできる。
【００３１】
（床板構造における差込式ヒータの交換手順）
図４は、図１に示す状態から本線レールの固定部材及び床板締結具を取り外した斜視図である。図５は、図４に示す状態から調整金具などを取り外した斜視図である。
【００３２】
図４に示すように、上記図１に示す状態から、本線レール１１０を床板本体１１に固定している固定金具１８を押えるレール締結具５１を固定台１７から取り外す。そして、本線レール１１０の固定金具１８を固定台１７から取り外す。また、床板本体１１と調整金具２１とをＰＣまくらぎ１００に固定している床板締結具５０を取り外す。これにより、床板１０をＰＣまくらぎ１００に固定している部材が取り外される。
【００３３】
次に、図５に示すように、床板本体１１の長辺方向一端部に配置された調整金具２１と、この調整金具２１の凹部２２に設けられた絶縁体２５を取り外す。また、床板本体１１の凹部１２に設けられた絶縁体１６も取り外す。
【００３４】
図６は、図５に示す状態から床板本体を取り外す動作を示す図面であり、（Ａ）は床板本体をまくらぎ長手方向に水平移動させる動作の平面図、（Ｂ）は床板本体をまくらぎの上方から軌道方向に水平移動させる動作の平面図である。図７（Ａ）は図６（Ｂ）に示す状態から差込式ヒータを交換する動作の平面図であり、図７（Ｂ）は差込式ヒータ交換時に絶縁パッドを交換する動作の平面図である。
【００３５】
図６（Ａ）に示すように、上記調整金具２１を取り外すことによって、床板本体１１は調整金具２１を配置していた方向に移動させることが可能となり、床板本体１１をＰＣまくらぎ１００の長手方向に移動させる。例えば、床板本体１１をＰＣまくらぎ１００の長手方向に５〜１０ｍｍ程度移動させることで、床板本体１１の一端部に形成されている凹部１２を受台１０１の位置から水平方向にずらすことができる。
【００３６】
そして、図６（Ｂ）に示すように、水平方向にずらした床板本体１１を、差込式ヒータ３０の配線３３が出ている方の軌道方向Ｒに水平移動させることで、床板本体１１とともに配置部１５に配置させている差込式ヒータ３０を受台１０１の位置から軌道方向Ｒにずらすことができる。
【００３７】
これにより、図７（Ａ）に示すように、床板本体１１の長辺方向に延びるように発熱部３１が配置されている差込式ヒータ３０を、受台１０１に当接させることなくＰＣまくらぎ１００の長手方向に取り外すことができる。差込式ヒータ３０を取り外した後は、新たな差込式ヒータ３０を床板本体１１の配置部１５に配置することも容易にできる。
【００３８】
このように床板本体１１をＰＣまくらぎ１００の上面から軌道方向Ｒにずらして差込式ヒータ３０の取り外し及び取り付けが行える状態では、図７（Ｂ）に示すように、床板本体１１及び調整金具２１の下面とＰＣまくらぎ１００の上面との間に敷かれている絶縁パッド４０も軌道方向Ｒに取り外して容易に交換することができる。
【００３９】
そして、上記したように差込式ヒータ３０を交換した後の床板本体１１は、上記した手順と逆の手順によって適切な位置に配置することができる。具体的には、差込式ヒータ３０を配置部１５に配置した床板本体１１をＰＣまくらぎ１００の上面へと水平移動させ、凹部１２が受台１０１と係合するようにＰＣまくらぎ１００の長手方向に移動させる。その後、床板本体１１の一端部に調整金具２１を配置し、床板本体１１の係合部１３に調整金具２１の調整部２４を係合させる。そして、それぞれの凹部１２，２２に絶縁体１６，２５を配置し、床板締結具５０を受台１０１に取り付けることで床板本体１１及び調整金具２１をＰＣまくらぎ１００に固定する。
【００４０】
したがって、分岐部１２０において、床板１０に固定されている本線レール１００の固定を解除し、ＰＣまくらぎ１００に固定されている床板１０の固定を解除すれば、ＰＣまくらぎ１００の上方から本線レール１１０を取り除くことなく、床板１０に配置されている差込式ヒータ３０を保守点検することが可能となる。これにより、差込式ヒータ３０の保守点検に要する時間と労力を大幅に削減することができる。
【００４１】
（分岐部における差込式ヒータ取付構造の配置例）
図８は、図１に示すまくらぎ用床板構造を備えた床板を配置した分岐部の一例を示す平面図である。分岐部１２０においては、通常、木まくらぎや合成まくらぎが使用されているが、そのまくらぎを強度の高いＰＣまくらぎ１００とすることができる。ＰＣまくらぎ１００の上面には、上記したように床板締結具５０を取り付けるための受台１０１が突設されている。このような分岐部１２０に、上記まくらぎ用床板構造１を採用すれば、本線レール１１０を床板本体１１に固定しているレール締結具５１を取り外し、床板本体１１をＰＣまくらぎ１００に固定している床板締結具５０を取り外す。これにより、本線レール１１０がＰＣまくらぎ１００の上方に存在している状態でも、上記したように調整金具２１を取り外すことで床板本体１１をＰＣまくらぎ１００の上面から軌道方向Ｒに取り外すことができる。
【００４２】
したがって、分岐部１２０のように複数のレールが敷設されている場所でも、ＰＣまくらぎ１００の上面に突設されている受台１０１に影響することなく、床板本体１１に配置されている差込式ヒータ３０の点検・交換などの保守点検を効率良く行うことができる。
【００４３】
（総括）
以上のように、上記まくらぎ用床板構造１によれば、ＰＣまくらぎ１００のように受台１０１が上面から突設されたまくらぎでも、本線レール１１０を床板１０に固定した状態を解除すれば、床板本体１１をＰＣまくらぎ１００の上面から軌道方向Ｒにずらして取り外し及び取り付けることが可能となる。
【００４４】
これにより、床板本体１１に配置されている差込式ヒータ３０を点検・交換する場合など、床板本体１１をＰＣまくらぎ１００の上面から軌道方向Ｒに取り外して行うことが適切にでき、作業効率良く差込式ヒータ３０の保守点検などを行うことが可能となる。
【００４５】
したがって、構造が複雑で保守が難しい分岐部１２０に重量が重いＰＣまくらぎ１００を使用することで軌道の安定を図った場合でも、作業効率良く差込式ヒータ３０の保守点検などを行うことが可能となる。
【００４６】
なお、上記した実施形態では、ＰＣまくらぎ１００を例に説明したが、例えば、鉄骨材で形成された鉄まくらぎでも同様に適用することができ、まくらぎは上記実施形態に限定されるものではない。
【００４７】
また、上記した実施形態では、分岐部１２０における床板を例に説明したが、同様に差込式ヒータ３０が配置される箇所においては同様に適用することができ、上記まくらぎ用床板構造１を適用する箇所は上記実施形態に限定されるものではない。
【００４８】
さらに、上記した実施形態は一例を示しており、本発明の要旨を損なわない範囲での種々の変更は可能であり、本発明は上記した実施形態に限定されるものではない。
【符号の説明】
【００４９】
１  まくらぎ用床板構造
１０  床板
１１  床板本体
１２  凹部
１３  係合部
１４  スライド部
１５  配置部
１６  絶縁体
２１  調整金具
２２  凹部
２３  押え部
２４  調整部
２５  絶縁体
３０  差込式ヒータ
３１  発熱部
４０  絶縁パッド
５０  床板締結具
５１  レール締結具
１００  ＰＣまくらぎ
１０１  受台
１１０  本線レール
１２０  分岐部
Ａ  長辺寸法
Ｂ  調整寸法
Ｃ  長辺方向全寸法
Ｒ  軌道方向
【図１】
2018053442.tif 000003
【図２】
2018053442.tif 000004
【図３】
2018053442.tif 000005
【図４】
2018053442.tif 000006
【図５】
2018053442.tif 000007
【図６】
2018053442.tif 000008
【図７】
2018053442.tif 000009
【図８】
2018053442.tif 000010